(57)【要約】【課題】バスダクトとバスダクトの分岐装置とが確実に固定されていることを簡単かつ確実に確認可能なバスダクト分岐装置を提供すること。【解決手段】分岐導体を内包する箱体１２と、箱体１２をハスダクト７０に固定する固定部材３０とを備えたバスダクトの分岐装置１０において、固定部材３０によるバスダクト７０に対する固定状態と固定解除状態とで、箱体１２外部からの視認状態が変化可能な表示部材４０を設けた。【選択図】図１
2018107847.tif 000002
【特許請求の範囲】
【請求項１】
バスダクトの導体に電気的に接続する分岐導体を内包する箱体と、前記箱体を前記バスダクトに固定する固定部材と、を備えたバスダクトの分岐装置において、
前記固定部材による前記バスダクトに対する固定状態と固定解除状態とで、前記箱体外部からの視認状態が変化可能な表示部材を設けたことを特徴とするバスダクトの分岐装置。
【請求項２】
前記表示部材は、前記箱体に対する前記固定部材の移動に連動して前記視認状態が変化することを特徴とする請求項１に記載のバスダクトの分岐装置。
【請求項３】
前記表示部材は、前記固定部材が固定状態であることを示す固定表示位置と、前記固定部材が固定解除状態であることを示す固定解除表示位置とに移動可能であって、付勢手段によって、前記固定表示位置側及び前記固定解除表示位置側のいずれか一方側に付勢されており、前記付勢手段の付勢力に抗して前記固定表示位置側及び前記固定解除表示位置側のいずれか他方側に移動することで前記視認状態が変化することを特徴とする請求項１又は２に記載のバスダクトの分岐装置。
【請求項４】
前記表示部材は、前記固定部材が固定状態であることを示す固定表示位置と、前記固定部材が固定解除状態であることを示す固定解除表示位置とに移動可能であって、前記固定部材が固定状態にある場合に、前記固定表示位置と前記固定解除表示位置とに移動可能であり、前記固定部材が固定解除状態にある場合に、前記固定表示位置に移動不可能であることを特徴とする請求項１に記載のバスダクトの分岐装置。
【請求項５】
前記固定部材が固定状態にある場合に、該固定部材が固定解除方向へ移動することを阻止する干渉部材を備えたことを特徴とする請求項１〜４の何れか１項に記載のバスダクトの分岐装置。
【請求項６】
前記干渉部材は、前記表示部材と一体であることを特徴とする請求項５に記載のバスダクトの分岐装置。
【請求項７】
前記固定部材は複数設けられており、
前記表示部材は、前記箱体に対し、複数の前記固定部材の全てが固定状態にあることを示す固定表示位置と、複数の前記固定部材のうち少なくとも一つの前記固定部材が固定解除状態にあることを示す固定解除表示位置とに移動可能であることを特徴とする請求項１〜６の何れか１項に記載のバスダクトの分岐装置。
【請求項８】
前記表示部材は、前記箱体の底面に取付けられたことを特徴とする請求項１〜７の何れか１項に記載のバスダクトの分岐装置。
【請求項９】
前記表示部材は、前記固定部材が固定状態にある場合に、前記箱体の底面に重なって外部から視認不可能となる一方、前記固定部材が固定解除状態にある場合に、少なくとも一部が前記底面と重ならずに外部に露出して視認可能となる表示部を有することを特徴とする請求項８に記載のバスダクトの分岐装置。
【請求項１０】
前記箱体は、前記固定部材により、前記バスダクトにおいて前記導体を内包するハウジングの外部に固定され、
前記表示部材は、前記箱体と前記ハウジングとの間に配置されることを特徴とする請求項１〜９の何れか１項に記載のバスダクトの分岐装置。
【発明の詳細な説明】
【技術分野】
【０００１】
本発明はバスダクトの分岐装置に関し、特に、バスダクトの導体に電気的に接続する分岐導体を内包したバスダクトの分岐装置に関する。
【背景技術】
【０００２】
従来、ビルや工場等の構造物の内外で電気幹線路を構成するバスダクトが使用されている。このバスダクトから分岐をとるバスダクトの分岐装置として、以下の特許文献に示すようなものが用いられている。
【０００３】
特許文献１に記載のバスダクトの分岐装置は、バスダクトのプラグインホールにプラグヘッドを差し込むことでバスダクトの導体と導通可能に取付けられるものであり、プラグヘッドに、バスダクトの厚さ方向に可動な探針部材と、探針部材の動きを検出する検出部（すなわち、探針部材の所定の位置に施されたマーキング）とを設けている。この分岐装置は、プラグインホールに分岐装置が固定されると、検出部が視認可能な状態となり、バスダクトの導体と分岐装置の分岐導体との接触部分が確実に接触して電気的に接続されていることを確認できる。
【０００４】
特許文献２に記載のバスダクトの分岐装置は、バスダクトとバスダクトの分岐装置とを固定するための固定部材を備えている。この分岐装置は、固定部材を構成する弾性部材の付勢力によって分岐装置がバスダクトの側面に押圧されることで、バスダクトに固定された状態となる。また、バスダクトからバスダクトの分岐装置を取外す際は、弾性部材の付勢力に抗して固定部材の固定フックを固定解除方向へ移動させる操作を行うことにより、分岐装置が固定解除状態となり、取外しが可能となる。
【先行技術文献】
【特許文献】
【０００５】
【特許文献１】特開２０１０−２３９６７３号公報
【特許文献２】実開昭５８−３４３８４号公報
【発明の概要】
【発明が解決しようとする課題】
【０００６】
特許文献１に記載のバスダクトの分岐装置では、検出部により、バスダクトの導体とバスダクトの分岐装置の分岐導体とが接触して電気的に接続されていることを確認することができる。
【０００７】
しかしながら、バスダクトに対するバスダクトの分岐装置の取付状態を維持するための固定部材を有していないため、取付けた後に、この分岐装置がバスダクトの取付位置から外れて、接触不良を起こすことの防止策は取られていない状況である。
【０００８】
バスダクトの分岐装置において、分岐導体と導体との接触の確保は非常に重要な要素であり、取付作業時に完璧な接触を得られたとしても、運用中の不慮の事態により取外れることが有ってはならず、そのため、特許文献２では、バスダクトとバスダクトの分岐装置とを固定部材によって固定することが提案されている。固定部材により、バスダクトの分岐装置がバスダクトの所定位置に固定された固定状態では、分岐導体と導体とが適切に接続された状態となり、かつ、バスダクトとバスダクトの分岐装置との相対移動が阻止されてバスダクトの分岐装置の取外れを防止できる。
【０００９】
しかしながら、固定部材によってバスダクトとバスダクトの分岐装置との固定状態が維持されるものの、実際の取付作業では、バスダクトの分岐装置の押し込みが甘くなっているなどの種々の要因から、固定部材が確実に固定状態となっているか確認する必要がある。
【００１０】
特許文献２に記載のバスダクトの分岐装置では、固定部材が固定状態にあるか否かを取付後の外観から容易に確認できるものではないため、固定部材を用いて分岐装置を取付けた後に、作業者が手や工具を用いて分岐装置に力を加えたりして、固定状態を確認する必要があり、確認作業が煩雑であった。
【００１１】
さらに、固定部材がバスダクトの分岐装置に隠れてしまうなど、確認作業が実施しにくいケースもあることから、確認作業の煩雑さを低減させることが求められていた。
【００１２】
本発明は上記課題に鑑みてなされたものであり、その目的は、固定部材によってバスダクトとバスダクトの分岐装置との固定状態を維持することができるバスダクトの分岐装置において、固定部材が固定状態にあることを簡単かつ確実に確認可能なバスダクトの分岐装置を提供することにある。
【課題を解決するための手段】
【００１３】
上記課題を解決するための請求項１に記載の発明は、バスダクトの導体に電気的に接続する分岐導体を内包する箱体と、前記箱体を前記バスダクトに固定する固定部材と、を備えたバスダクトの分岐装置において、前記固定部材による前記バスダクトに対する固定状態と固定解除状態とで、前記箱体外部からの視認状態が変化可能な表示部材を設けたことを特徴とする。
【００１４】
この構成によれば、バスダクトへバスダクトの分岐装置を取付けた際に、バスダクトの分岐装置がバスダクトに対して確実に固定された固定状態となっているか、すなわち、固定部材による取付け状態が不安定な固定解除状態となっていないか、を分岐装置の箱体の外部から表示部材の状態を視認することにより確認することができる。
【００１５】
従って、従来、作業者が直接、手や工具を用いて実施していた煩雑な確認作業をなくし、固定状態の確認を簡単かつ確実に行うことができる。
【００１６】
請求項２に記載の発明は、請求項１に記載のバスダクトの分岐装置において、前記表示部材は、前記箱体に対する前記固定部材の移動に連動して前記視認状態が変化することを特徴とする。
【００１７】
この構成によれば、固定部材が固定解除状態から固定状態に遷移する固定動作、及び固定状態から固定解除状態に遷移する固定解除動作に連動して表示部材の視認状態が変化するので、固定部材が固定状態にあるか否かを正確に視認することができる。
【００１８】
請求項３に記載の発明は、請求項１又は２に記載のバスダクトの分岐装置において、前記表示部材は、前記固定部材が固定状態であることを示す固定表示位置と、前記固定部材が固定解除状態であることを示す固定解除表示位置とに移動可能であって、付勢手段によって、前記固定表示位置側及び前記固定解除表示位置側のいずれか一方側に付勢されており、前記付勢手段の付勢力に抗して前記固定表示位置側及び前記固定解除表示位置側のいずれか他方側に移動することで前記視認状態が変化することを特徴とする。
【００１９】
この構成によれば、付勢手段の付勢力を用いて表示部材の視認状態を変化させることができるので、構造が簡易であり、製造コストを抑えることができる。
【００２０】
請求項４に記載の発明は、請求項１に記載のバスダクトの分岐装置において、前記表示部材は、前記固定部材が固定状態であることを示す固定表示位置と、前記固定部材が固定解除状態であることを示す固定解除表示位置とに移動可能であって、前記固定部材が固定状態にある場合に、前記固定表示位置と前記固定解除表示位置とに移動可能であり、前記固定部材が固定解除状態にある場合に、前記固定表示位置に移動不可能であることを特徴とする。
【００２１】
この構成によれば、固定部材が固定解除状態にある場合に、表示部材が固定表示位置となることが確実に禁止されるので、表示部材が固定表示位置となった場合に固定部材が固定状態にあることを正確に視認することができる。
【００２２】
請求項５に記載の発明は、請求項１〜４の何れか１項に記載のバスダクトの分岐装置において、前記固定部材が固定状態にある場合に、該固定部材が固定解除方向へ移動することを阻止する干渉部材を備えたことを特徴とする。
【００２３】
この構成によれば、干渉部材によって固定部材の固定解除動作を阻止することができるので、バスダクトの分岐装置が固定状態にある場合に、不意に固定状態が解除されることを防止でき、これにより、バスダクトの分岐装置の不慮の取外れを防ぐことができる。
【００２４】
請求項６に記載の発明は、請求項５に記載のバスダクトの分岐装置において、前記干渉部材は、前記表示部材と一体であることを特徴とする。
【００２５】
この構成によれば、部品点数の増加を抑えながら、バスダクトの分岐装置の不慮の取外れを防止して、固定状態の確認作業の簡易化を図ることができる。
【００２６】
請求項７に記載の発明は、請求項１〜６の何れか１項に記載のバスダクトの分岐装置において、前記固定部材は複数設けられており、前記表示部材は、前記箱体に対し、複数の前記固定部材の全てが固定状態にあることを示す固定表示位置と、複数の前記固定部材のうち少なくとも一つの前記固定部材が固定解除状態にあることを示す固定解除表示位置とに移動可能であることを特徴とする。
【００２７】
この構成によれば、複数の固定部材により、確実に固定状態を維持することができるとともに、表示部材が固定表示位置にある場合に、複数の固定部材の全てが固定状態にあることを確認することができるので、確認作業が容易である。
【００２８】
請求項８に記載の発明は、請求項１〜７の何れか１項に記載のバスダクトの分岐装置において、前記表示部材は、前記箱体の底面に取付けられたことを特徴とする。
【００２９】
この構成によれば、表示部材をバスダクトの分岐装置においてバスダクトと対向する箱体の底面に設ける構造とすることで、既存のバスダクトの分岐装置の構造を大幅に変更することなく、安価に導入することができる。
【００３０】
請求項９に記載の発明は、請求項８に記載のバスダクトの分岐装置において、前記表示部材は、前記固定部材が固定状態にある場合に、前記箱体の底面に重なって外部から視認不可能となる一方、前記固定部材が固定解除状態にある場合に、少なくとも一部が前記底面と重ならずに外部に露出して視認可能となる表示部を有することを特徴とする。
【００３１】
この構成によれば、バスダクトの分岐装置の取付作業において、表示部が視認可能な状態から視認不可能な状態へ変化することにより、分岐装置が固定状態にあることを簡単かつ確実に確認することができる。
【００３２】
請求項１０に記載の発明は、請求項１〜９の何れか１項に記載のバスダクトの分岐装置において、前記箱体は、前記固定部材により、前記バスダクトにおいて前記導体を内包するハウジングの外部に固定され、前記表示部材は、前記箱体と前記ハウジングとの間に配置されることを特徴とする。
【００３３】
この構成によれば、表示部材が箱体とハウジングとの間に配置されるので、美観を大きく損ねることなく、固定状態の確認を簡易に行うことができる。
【発明の効果】
【００３４】
本発明によれば、バスダクトの分岐装置がバスダクトに対して固定された固定状態であるか否かを箱体の外部から表示部材の状態を視認することにより簡単かつ確実に確認することができる。また、固定状態にある固定部材によって、バスダクトとバスダクトの分岐装置との固定を確実に維持することができる。
【図面の簡単な説明】
【００３５】
【図１】本発明の第１の実施の形態に係るバスダクトの分岐装置をバスダクトに取付けた状態を示す斜視図。
【図２】バスダクトの分岐装置をバスダクトへ取付ける前の状態を示す正面図。
【図３】図１に示したバスダクトの分岐装置の固定部材を示す図であり、（ａ）は分解平面図、（ｂ）は分解正面図、（ｃ）は分解側面図。
【図４】固定部材の操作部を示す斜視図。
【図５】バスダクトに対するバスダクトの分岐装置の取付けを説明する図であり、（ａ）は取付け中の状態を示す正面図、（ｂ）は取付け後の状態を示す正面図。
【図６】バスダクトに対するバスダクトの分岐装置の取付けを説明する図であり、（ａ）は取付け中の状態を示す斜視図、（ｂ）は取付け後の状態を示す斜視図。
【図７】第２の実施の形態に係るバスダクトの分岐装置の表示部材の斜視図。
【図８】バスダクトに対するバスダクトの分岐装置の取付けを説明する図であり、（ａ）は取付け中の状態を示す斜視図、（ｂ）は取付け後の状態を示す斜視図。
【図９】箱体に対する固定部材及び表示部材の移動状態を説明する図であり、（ａ）は分岐装置の固定解除状態を示し、（ｂ）は分岐装置の固定状態を示す。
【図１０】表示部材の変形例を示す斜視図。
【図１１】第３の実施の形態に係るバスダクトの分岐装置の表示部材の移動状態を説明する一部拡大断面図であって、（ａ）は分岐装置の固定解除状態を示し、（ｂ）は分岐装置の固定状態を示す。
【図１２】第４の実施の形態に係るバスダクトの分岐装置の表示部材の斜視図。
【図１３】箱体に対する固定部材及び表示部材の移動状態を説明する、図９と同様の断面図であり、（ａ）は分岐装置の固定解除状態を示し、（ｂ）は分岐装置の固定状態を示す。
【図１４】バスダクトの分岐装置における干渉部材の設置態様を説明する一部破断斜視図。
【図１５】変形例１のバスダクト及びバスダクトの分岐装置を示す正面図。
【図１６】変形例２のバスダクト及びバスダクトの分岐装置を示す正面図。
【発明を実施するための形態】
【００３６】
次に、本発明の実施の形態について図に基づいて詳細に説明する。
【００３７】
（第１の実施の形態）
バスダクトに取付けられてこのバスダクトの導体から分岐を行う、本発明に係るバスダクトの分岐装置の第１の実施の形態を図１〜図６を参照して説明する。尚、各図はバスダクトの設計、配設方向及びバスダクトの分岐装置の取付け方向等について特段の限定をするものではない。
【００３８】
図１は第１の実施の形態に係るバスダクトの分岐装置１０をバスダクト７０に取付けた状態（固定状態）を示す斜視図であり、図２は、バスダクトの分岐装置をバスダクトへ取付ける前の状態を示す正面図である。尚、以下の各図において、矢印Ｘ方向を幅方向、矢印Ｙ方向を奥行方向、矢印Ｚ方向を高さ方向と称する。
【００３９】
バスダクト７０において、電気幹線を構成する導体７４は、ハウジング７２に内包されている。バスダクトの分岐装置１０は、この導体７４を電気的に接続される図示していない分岐導体を内包する箱体１２と、箱体１２の外部に設けられた差込部１４と、差込部１４によって周囲を覆われており、分岐導体と電気的に接続された接触子１６と、分岐装置１０をバスダクト７０に取付けるための取付機構１８とを備える。
【００４０】
図３に示すように、取付機構１８は、バスダクト７０の幅方向への位置決めを行うためのガイド部材５０と、箱体１２をバスダクト７０のハウジング７２に固定する固定部材３０と、固定部材３０と一体的に形成され、固定部材３０による固定状態を視認可能に表示するための表示部材４０とを備える。
【００４１】
バスダクト７０において、ハウジング７２の側面に形成されたプラグインホール７６には、シャッタ７８が設けられている。シャッタ７８が開くことで、ハウジング７２の側面には開口が現れ、この開口に分岐装置１０の差込部１４を挿入し、接触子１６を導体７４と接続することで、導体７４と分岐導体との電気的な接触を得ることができる。この状態で、固定部材３０によりバスダクト７０と分岐装置１０とを固定することで固定状態が維持される。
【００４２】
分岐装置１０において、箱体１２は断面略矩形状であり、分岐装置１０をバスダクトに取付けた状態においてバスダクト７０と対向する底面１２ａに差込部１４と、固定部材３０が取り付けられている。
【００４３】
差込部１４は、略箱形の部材であり、一側面部から複数の接触子１６が露出している。各接触子１６は導体７４を挟み込んで接触して電気的な接続が得られるよう、弾性のある導体によりクリップ状に形成されており、他の接触子１６と絶縁されるように絶縁性の差込部１４により被覆されている。差込部１４の幅方向外側には、取付機構１８を構成するガイド部材５０、固定部材３０及び表示部材４０が配設されている。
【００４４】
ガイド部材５０は、箱体１２の底面１２ａと対向して、底面１２ａに固定される固定部５１と、固定部５１の幅方向の両端部から高さ方向下方（箱体１２から離れる方向）へ延在する一対の突出部５５とを有する。固定部５１は、矩形状の薄板であって、中央部に差込部１４が挿通される開口部５１ａを有するとともに、固定部５１を底面１２ａに固定するためのボルト等の固定具が挿通される取付孔５１ｂを有している。各突出部５５は、略矩形の平板部５６と、平板部５６の両側部から幅方向外方へ屈曲されて、互いに対向する一対の支持片５７とを有する。各支持片５７の下方側には、後述する軸支部材５４が挿通される軸孔５７ａが形成されている。
【００４５】
固定部材３０は、支持片５７に軸支された状態で平板部５６に対して略平行に対向配置される略矩形状の基部３２と、組立状態においてガイド部材５０の支持片５７と奥行方向において重なるように、基部３２の両側部３２ａから幅方向内方へ屈曲する一対の固定片３４とを有する。基部３２には、固定部材３０を把持して、これを回動操作するための操作部３３が設けられている。本実施の形態において、操作部３３は、基部３２に形成した開口であって、分岐装置１０の取外し作業時に、作業者がこの開口に外側から手を入れて固定部材３０を把持可能となっている。
【００４６】
固定片３４は、幅方向内方の端部に、バスダクト７０のハウジング７２に形成された凹部７２ａに係止可能な係止部３４ａを有する。本実施の形態において、係止部３４ａは、固定片３４の幅方向内側（差込部１４側）の側縁によって形成されており、第１斜辺３５ａと、第１斜辺３５ａと連続する第２斜辺３５ｂとによって形成された幅方向内側へ突出する略三角形状の凸状部である。第１斜辺３５ａと第２斜辺３５ｂとは、互いに異なる傾斜角度に設定されている。各固定片３４の下方側には軸支部材５４が挿通される軸孔３４ｂが形成されている。また、一対の突出部５５において、幅方向に対向する係止部３４ａの間の寸法は、バスダクト７０のハウジング７２の幅方向の寸法よりも短く設定されている。
【００４７】
表示部材４０は、本実施の形態において固定部材３０と一体的に形成されており、具体的には、固定部材３０の一部であって、基部３２の上端部から幅方向外方へ突出した奥行方向へ延びる平板状の部位である。尚、表示部材４０は固定部材３０から取り外し可能に構成されていてもよく、図示例のような平板状に加工形成できるものであれば、どのような材料によって構成されていてもよい。表示部材４０の上面（組立状態において箱体１２の底面１２ａと対向する面）には、他の領域と視覚的に区別されるように着色された表示部４５が形成されている。尚、表示部４５は、視認性を高めるための処理が施された領域であればよく、例えば、表示部材４０に施された塗装、表面処理、シールの貼付け等によって形成することができる。
【００４８】
本実施の形態において表示部４５は、図３（ａ）及び図４においてドットで示すように、奥行方向に長い矩形状であって、奥行方向に延びる幅方向外側の側縁４５ａが表示部材４０の幅方向外側の側縁４０ａに一致している。表示部４５の色は、特に限定されるものではないが、暗い場所に設置された際に、ライトを当てることにより表示部４５が明瞭に目視確認可能となるように、蛍光色とすることが好適である。
【００４９】
固定部材３０はガイド部材５０の突出部５５に対し、一対の支持片５７を一対の固定片３４によって奥行方向外側から覆うように、各支持片５７及び各固定片３４を重ね合わせ、固定片３４の軸孔３４ｂと支持片５７の軸孔５７ａとに軸支部材５４を挿通することにより、ガイド部材５０に対して回動可能に軸支される。組立状態において、操作部３３は、軸支部材５４よりも高さ方向上方（箱体１２側）に位置している。
【００５０】
固定部材３０の基部３２とガイド部材５０の平板部５６との間には、固定部材３０を固定方向（すなわち、係止部３４ａを幅方向内方へ回動させる方向であって、分岐装置１０をバスダクト７０へ取付けた際に、固定部材３０による固定が維持される方向）へ付勢する付勢手段であるコイルバネ６０が配設される。コイルバネ６０は、基部３２に形成された螺子孔３２ｂに螺合され固定された螺子３９の軸部に周設され、組立状態において、一端が平板部５６に当接し、他端が基部３２に当接している。このようなコイルバネ６０は、１つの基部３２に対して１つ以上設けられ、図示例では２つのコイルバネ６０を配設している。尚、固定部材３０を付勢する付勢手段は、コイルバネ６０に限られず、例えば、ゴムや板バネ等、付勢力を付与可能なものを適宜選択して、適宜の場所に配設することができる。
【００５１】
上述した取付機構１８は、箱体１２の底面１２ａに取付けられた組立状態であって、かつ固定部材３０が特段の外力を受けていない自然状態において、コイルバネ６０の付勢力により、軸支部材５４を回転中心として、これより上方に位置する固定部材３０の上方部分が幅方向内側へ向かって回動し、これより下方に位置する固定部材３０の下方部分が幅方向外側へ向かって回動するように付勢されている（図２の矢印Ａ参照）。かかる状態において、固定部材３０の基部３２がガイド部材５０の支持片５７の先端に当接することで、固定部材３０の回動が阻止されている。
【００５２】
上述した自然状態において、一方の表示部材４０の幅方向外側の側縁４０ａから他方の表示部材４０の幅方向外側の側縁４０ａまでの寸法は、箱体１２の底面１２ａの幅方向の寸法よりも僅かに短く設定されており、各表示部材４０の表示部４５は、自然状態において、箱体１２の底面１２ａと平面視において重なり、外部から視認不可能な状態となっている。また、固定部材３０が固定解除方向（固定方向とは逆の回動方向）へ移動した際には、表示部４５が底面１２ａに対し、幅方向外方へ露出して箱体１２の外部から視認可能な状態となる。このように、表示部材４０は、固定部材３０の移動とともに移動し、表示部４５が外部から視認不可能となる固定表示位置と、表示部４５の少なくとも一部が外部から視認可能な固定解除表示位置とに移動可能に構成されている。
【００５３】
次に、上述したバスダクトの分岐装置１０のバスダクト７０に対する取付けについて図５及び図６を用いて説明する。
【００５４】
まず、図５（ａ）及び図６（ａ）に示すように、バスダクト７０の厚さ方向においてプラグインホール７６と、分岐装置１０の差込部１４とを対向させ、かつ、ガイド部材５０の一対の突出部５５によりバスダクト７０のハウジング７２の幅方向の両側部を挟み込んだ状態で、分岐装置１０をバスダクト７０側へ移動させる。
【００５５】
すると、分岐装置１０において、ハウジング７２の幅方向内方へ向かって突出する固定部材３０の係止部３４ａが、ハウジング７２の側面７３に当接し、固定部材３０がコイルバネ６０の付勢力に抗して固定解除方向へ回動する。具体的には、ハウジング７２の側面７３に第１斜辺３５ａが当接し、さらに、分岐装置１０をバスダクト７０側へ移動させることで、この当接部位が第１斜辺３５ａに沿って係止部３４ａの頂部（すなわち、第１斜辺３５ａと第２斜辺３５ｂの交差部）に移動し、これに従って、固定部材３０が固定解除方向へ回動する。このとき、固定部材３０と一体に形成された表示部材４０は、固定部材３０とともに固定解除方向へ移動し、表示部４５が露出した固定解除表示位置となる。
【００５６】
さらに、分岐装置１０をハウジング７２側へ移動させて、係止部３４ａの頂部がハウジング７２の側面７３に形成された凹部７２ａに到達すると、図５（ｂ）及び図６（ｂ）に示すように、係止部３４ａが凹部７２ａに嵌り込み、コイルバネ６０の付勢力によって嵌合状態が保持されることとなる（分岐装置１０の固定状態）。ハウジング７２と箱体１２の底面１２ａとの間に位置する表示部材４０は、係止部３４ａの嵌り込み動作と連動して、固定解除表示位置から固定表示位置へと移動し、表示部４５が外部から視認されない状態となる。尚、固定状態では、ガイド部材５０の固定部５１とプラグインホール７６を構成する枠体とが当接している。
【００５７】
この固定状態において、分岐装置１０をバスダクト７０から取外す方向へ引き抜こうとすると、係止部３４ａの第２斜辺３５ｂが凹部７２ａの内面に当接して分岐装置１０の引抜き移動が阻止される。
【００５８】
以上により、分岐装置１０は、バスダクト７０のハウジング７２に確実に取付けられる。
【００５９】
分岐装置１０をバスダクト７０から取外す際には、作業者は操作部３３を把持し、コイルバネ６０の付勢力に抗して手動で固定部材３０を固定解除方向へ回動させる。固定部材３０の係止部３４ａの第２斜辺３５ｂがバスダクト７０の凹部７２ｂと当接しない位置まで固定部材３０を回動させて、係止部３４ａと凹部７２ｂとの嵌合状態を解除させてから、分岐装置１０をバスダクト７０から取外す方向へ引き抜くことで、分岐装置１０を取外すことができる。
【００６０】
上述のとおり、分岐装置１０は、取付け作業において、固定部材３０が固定解除状態となった後に固定状態となり、これに連動して、表示部材４０が固定解除表示位置から固定表示位置へと状態が遷移する。よって、作業者は、箱体１２外部から表示部材４０の表示部４５を視認した後、この表示部４５が視認されなくなることで、固定部材３０による固定が確実になされたことを容易に確認することができる。
【００６１】
（第２の実施の形態）
次に、バスダクトの分岐装置１０の第２の実施の形態を図７〜図９に基づいて説明する。尚、図７〜図１６に示す各実施の形態及び変形例において、第１の実施の形態と対応する部位には同一符号を付している。また、以下に説明する第２〜第４の実施の形態及び各変形例において、第１の実施の形態と同一の構成については詳細な説明を省略する。
【００６２】
第２の実施の形態では、取付機構１８を構成する表示部材１４０と固定部材３０とが別体に構成されている。図７に示すように、表示部材１４０は、対を成す第１部材１４１及び第２部材１４２と、第１部材１４１と第２部材１４２とを連結する付勢手段１６０とを備える。第２部材１４２は、第１部材１４１と同一形状に形成されるため、ここでは第１部材１４１について詳細に説明する。
【００６３】
第１部材１４１は、断面略矩形状であって直線状に延びる棒状部１４４と、棒状部１４４の両端に位置する第１取付部１４７及び第２取付部１４８とを有する。
【００６４】
棒状部１４４は、組立状態において上面１４４ａとなる一側面に、他の領域と視覚的に区別されるように着色された表示部１４５を有する。表示部１４５は、図７においてドットで示すように、第１取付部１４７側から第２取付部１４８側に向かって長く延びる矩形状の領域である。
【００６５】
第１取付部１４７は、棒状部１４４の端部において、棒状部１４４の長さ方向と直交する方向に突出した部位であり、この直交方向に延びる貫通孔である長孔１５０と、棒状部１４４の長さ方向に対して傾斜する傾斜面によって形成された当接部１５２とを有する。後述するように、当接部１５２は、分岐装置１０の組立状態において、固定部材３０と当接する部位である。第２取付部１４８は、第１取付部１４７と対をなすように、第１取付部１４７と対称な形状に形成されており、図示のように、第１取付部１４７の当接部１５２と、第２取付部１４８の当接部１５２とは、棒状部１４４の長さ方向内方を向くように形成されており、各当接部１５２の傾斜面は、棒状部１４４の長さ方向外方へ向かうに従って、棒状部１４４から離れるように傾斜している。
【００６６】
表示部材１４０は、第１部材１４１の第１取付部１４７及び第２取付部１４８のそれぞれが、付勢手段１６０を介して第２部材１４２の第２取付部１４８及び第１取付部１４７のそれぞれと連結されることにより、全体として、棒状部１４４によって形成された一対の長辺と、取付部１４７，１４８及び付勢手段１６０によって形成された一対の短辺とを有する略矩形状を成している。
【００６７】
付勢手段１６０によって、第１部材１４１及び第２部材１４２は、互いに接近する方向へ付勢されている。このような付勢手段１６０としては、例えば、ゴムや、コイルバネ、板バネ等、公知のものを適宜選択して用いることができる。
【００６８】
図９は、箱体１２に対する固定部材３０及び表示部材１４０の移動状態を説明する図であり、分岐装置１０の高さ方向において図８のＩＸ−ＩＸ線の位置の断面を下面側から見た図である。表示部材１４０は、長孔１５０に挿通されたビス等の支持部材１５５を用いて箱体１２の底面１２ａに取付けられる。尚、図９では、固定部材３０の移動に伴う表示部材１４０の移動状態を分かりやすくするために、差込部１４や接触子１６の記載を省略するとともに、断面を示す斜線を省略している。また、図９では、固定部材３０を塗りつぶした状態で記載するとともに、表示部材１４０を上面側から視た場合に、表示部１４５が形成される領域にドットを付している。尚、本実施の形態において、固定部材３０の基部３２の上端部は幅方向内方へ屈曲されている。
【００６９】
表示部材１４０を構成する第１及び第２部材１４１，１４２は、それぞれ、支持部材１５５が長孔１５０内を移動するように、箱体１２に対して奥行方向へ移動可能となっている。具体的には、第１及び第２部材１４１，１４２が奥行方向内方へ移動し、表示部１４５が平面視において底面１２ａと重なり、外部から視認不可能となった固定表示位置と、第１及び第２部材１４１，１４２が奥行方向外方へ移動し、表示部１４５が底面１２ａよりも奥行方向外方へ露出して外部から視認可能となった固定解除表示位置とに移動可能である。
【００７０】
さらに、表示部材１４０の当接部１５２は、固定部材３０の一部、具体的には、固定部材３０の上端部において基部３２と固定片３４が形成する角部（以下、上端角部３６という）と当接するように設置されている。
【００７１】
次に、第２の実施の形態の分岐装置１０のバスダクト７０に対する取付けについて説明する。
【００７２】
まず、図８（ａ）に示すように、バスダクト７０のプラグインホール７６と、分岐装置１０の差込部１４とを対向させ、ガイド部材５０の一対の突出部５５によりバスダクト７０のハウジング７２の幅方向の両側部を挟み込んだ状態で、分岐装置１０をバスダクト７０側へ移動させる。すると、分岐装置１０において、固定部材３０の係止部３４ａが、ハウジング７２の側面７３に当接し、固定部材３０がコイルバネ６０の付勢力に抗して固定解除方向へ回動する（固定解除状態）。
【００７３】
この際、表示部材１４０の第１及び第２部材１４１，１４２は、図９（ａ）に示すように、当接部１５２に当接した固定部材３０の上端角部３６から受ける押圧力により付勢手段１６０の付勢力に抗して奥行方向外方へ押し出される。その結果、表示部材１４０の表示部１４５が箱体１２の底面１２ａから露出した固定解除表示位置となる。
【００７４】
さらに、分岐装置１０をハウジング７２側へ移動させて、図８（ｂ）に示すように、係止部３４ａの頂部がハウジング７２の凹部７２ａに到達して嵌り込むと、分岐装置１０がバスダクト７０に固定される（固定状態）。このとき、表示部材１４０は、図９（ｂ）に示すように、当接部１５２において固定部材３０の上端角部３６の当接位置が変化することにより、固定解除表示位置から固定表示位置へと移動し、表示部１４５が外部から視認できない状態となる。これにより、分岐装置１０は、バスダクト７０のハウジング７２に確実に取付けられる。
【００７５】
上述のとおり、本実施の形態の分岐装置１０は、取付け作業において、固定部材３０が固定解除状態となった後に固定状態となり、これに連動して、表示部材１４０は固定解除表示位置から固定表示位置へと状態が遷移する。よって、作業者は、箱体１２外部から表示部材１４０の表示部１４５を視認した後、この表示部１４５が視認されなくなることで、固定部材３０による固定が確実になされたことを容易に確認することができる。
【００７６】
また、第１部材１４１及び第２部材１４２は、それぞれ、分岐装置１０に設けられた２つの固定部材３０の両方と当接しているので、表示部１４５の一部が視認可能な状態となっている場合には、２つの固定部材３０のうち、少なくとも一方の固定部材３０が固定解除状態にあることを確認することができる。例えば、２つの固定部材３０のうち、一方が固定状態であって他方が固定解除状態となっている場合には、幅方向に延びる表示部１４５のうち、少なくとも固定解除状態にある固定部材３０側の表示部１４５が視認可能な状態となる。この場合、固定解除状態にある方の固定部材３０を固定状態にすることで、表示部１４５の全域が視認不可能な状態となり、全ての固定部材３０が固定状態にあることを確実に確認することができる。
【００７７】
このように、分岐装置１０に複数の固定部材３０を設けた場合に、１つの表示部材１４０が複数の固定部材３０の全部と接触し、これらと連動して移動するようにすることで、複数の固定部材３０の全てが固定状態にあるか否かを容易に確認することができる。
【００７８】
（第２の実施の形態の変形例）
図１０は第２の実施の形態で示した表示部材１４０の変形例を示す。
【００７９】
変形例の表示部材１４０は、第１及び第２部材１４１，１４２が薄板状の部材によって形成されている。当接部１５２は、薄板を高さ方向下方に屈曲して形成されており、これにより、高さ方向の厚さを持たせて固定部材３０と当接する面積を大きくしている。変形例の表示部材１４０は、第２の実施の形態の表示部材１４０と同様に、固定部材３０の移動に連動して固定表示位置と固定解除表示位置との間を移動する。
【００８０】
尚、図示していないが、第２の実施の形態及び変形例の表示部材１４０において、当接部１５２を形成する傾斜面の角度を適宜変更することにより、表示部１４５が、固定部材３０が固定状態にある場合に外部から視認可能となり、固定部材３０が固定解除状態にある場合に視認不可能となるように、固定部材３０の移動に伴う表示部材１４０の移動方向を変えてもよい。
【００８１】
（第３の実施の形態）
次に、バスダクトの分岐装置１０の第３の実施の形態を図１１に基づいて説明する。
【００８２】
第３の実施の形態では、取付機構１８を構成する表示部材２４０と固定部材３０とが別体に構成されている。表示部材２４０は、箱体１２の底面１２ａの４箇所の角部にそれぞれ設けられる。尚、図１１では、４箇所のうちの１箇所の角部に配設された表示部材２４０を示しているが、他の３箇所の角部においても同様に配設される。
【００８３】
表示部材２４０は、板状の部材によって形成されており、略楕円形状の回動基部２４１と、回動基部２４１から突出する突出部２４２とを有する。突出部２４２の上面（箱体１２の底面１２ａと対向する面）には、他の領域と視覚的に区別されるように着色された表示部２４５が形成されている。
【００８４】
表示部材２４０は、回動基部２４１において、ビス等の軸部材２４６により箱体１２の底面１２ａに回動可能に軸支されている。また、軸部材２４６に巻かれた巻きバネ（付勢手段）２６０により、一方向に回動するように付勢されている。
【００８５】
図示例では、巻きバネ２６０の一端２６１が、箱体１２の底面１２ａに設けられた係止軸部２４７に係止され、他端２６２が回動基部２４１に設けられた図示していない係合部に係止されている。表示部材２４０が特に外力を受けていない初期状態では、表示部材２４０は巻きバネ２６０による付勢力を受けていない。この初期状態では、図１１（ｂ）に示すように、表示部材２４０は、突出部２４２が箱体１２の外部へ露出し、表示部２４５が外部から視認可能な固定表示位置となる。一方、表示部材２４０に外力が加わり、巻きバネ２６０の付勢方向に反して表示部材２４０が回動すると、図１１（ａ）に示すように、回動基部２４１及び突出部２４２が箱体１２の底面１２ａと平面視において重なり、表示部２４５が外部から視認不可能な固定解除表示位置となる。また、表示部材２４０が固定解除表示位置にある場合に、外力が取り除かれると、表示部材２４０は巻きバネ２６０の付勢力を受けて回動し、初期状態（すなわち、固定表示位置）に戻る。
【００８６】
表示部材２４０は、固定部材３０が固定状態にある場合に、固定部材３０と非接触となり、固定部材３０が固定解除状態にある場合に、固定部材３０が回動基部２４１に当接し、巻きバネ２６０の付勢方向に反して回動するように設置される。尚、第３の実施の形態の分岐装置１０において、表示部材２４０以外の構成は、第２の実施の形態と同様であるため、ここでは詳細を省略する。
【００８７】
次に、第３の実施の形態の分岐装置１０のバスダクト７０に対する取付けについて説明する。
【００８８】
分岐装置１０がバスダクト７０に取り付けられるように、分岐装置１０をバスダクト７０側へ移動させると、固定部材３０の係止部３４ａが、ハウジング７２の側面７３に当接し、固定部材３０が固定解除方向へ回動する（固定解除状態）。この際、表示部材２４０は、回動基部２４１が固定部材３０の上端角部３６により押圧され、固定部材３０の固定解除方向への移動に連動して、図１１（ｂ）に示す固定表示位置から図１１（ａ）に示す固定解除表示位置へと移動し、表示部２４５が視認可能な状態から視認不可能な状態へと変化する。
【００８９】
さらに、分岐装置１０をハウジング７２側へ移動させて、固定部材３０により分岐装置１０がバスダクト７０に固定された固定状態となると、表示部材２４０は、固定部材３０と非接触となり、巻きバネ２６０の付勢力によって回動して固定表示位置となる。これにより、表示部２４５は外部から視認可能な状態となる。
【００９０】
上述のとおり、本実施の形態の分岐装置１０は、取付け作業において、固定部材３０の移動に連動して、表示部材２４０が固定解除表示位置から固定表示位置へと状態が遷移する。よって、作業者は、表示部２４５が箱体１２外部から視認されなくなった後、再び視認できる状態になることで、固定部材３０による固定が確実になされたことを容易に確認することができる。
【００９１】
尚、図示していないが、第３の実施の形態の表示部材２４０において、回動基部２４１と突出部２４２の位置関係や、巻きバネ２６０による付勢方向を適宜変更することにより、表示部２４５について、固定部材３０が固定解除状態のときに外部から視認可能となって、固定部材３０が固定状態のときに視認不可能となるように、設計変更することが可能である。
【００９２】
（第４の実施の形態）
次に、バスダクトの分岐装置１０の第４の実施の形態を図１２及び図１３に基づいて説明する。
【００９３】
第４の実施の形態では、取付機構１８を構成する表示部材３４０と固定部材３０とが別体に構成されており、表示部材３４０はこれを付勢する付勢手段を有していない。
【００９４】
図１２に示すように、表示部材３４０は、板状の部材により形成されており、直線状に延びる棒状部３４４と、棒状部３４４の両端に位置する第１取付部３４７及び第２取付部３４８とを有する。
【００９５】
棒状部３４４は、組立状態における上面に、他の領域と視覚的に区別されるように着色された表示部３４５を有する。表示部３４５は、図１２においてドットで示すように、第１取付部３４７側から第２取付部３４８側に向かって長く延びる矩形状の領域である。
【００９６】
第１及び第２取付部３４７，３４８は、棒状部３４４の端部において、棒状部３４４の長さ方向と直交する方向に突出した部位であり、この直交方向に延びる貫通孔である長孔３５０と、高さ方向下方へ突出した干渉部（第１の干渉部材）３５２とを有する。
【００９７】
表示部材３４０は、図１３に示すように、箱体１２の奥行方向の両側部に対を成して配設され、長孔３５０に挿通されたビス等の支持部材１５５を用いて箱体１２の底面１２ａに取付けられる。表示部材３４０は、支持部材１５５が長孔３５０内を移動するように、箱体１２に対して奥行方向へ移動可能となっている。具体的には、表示部材３５０が奥行方向内方へ移動し、表示部３４５が箱体の外部から視認不可能となった固定表示位置と、表示部材３５０が奥行方向外方へ移動し、表示部１４５が底面１２ａよりも奥行方向外方へ露出して外部から視認可能となった固定解除表示位置とに移動可能である。
【００９８】
表示部材３４０の干渉部３５２は、固定部材３０が固定状態にある場合に、表示部材３４０が固定表示位置と固定解除表示位置とに移動可能であり、固定部材３０が固定解除状態にある場合に、干渉部３５２が固定部材３０の基部３２と当接して表示部材３４０が固定表示位置に移動不可能となる位置に設けられる。
【００９９】
次に、第４の実施の形態の分岐装置１０のバスダクト７０に対する取付けについて説明する。
【０１００】
取付け前の状態において、固定部材３０は、コイルバネ６０の付勢力により固定方向側に移動した初期状態（固定状態と同じ）となっている。この状態において、作業者は、表示部材３４０を固定解除表示位置に手動で移動させる。これにより、表示部材３４０は、表示部３４５が箱体１２の外部から視認可能な状態となる。
【０１０１】
分岐装置１０がバスダクト７０に取り付けられるように、分岐装置１０をバスダクト７０側へ移動させると、固定部材３０の係止部３４ａが、ハウジング７２の側面７３に当接することにより、固定部材３０が固定解除方向へ回動する（固定解除状態）。このとき、固定部材３０は、図１３（ａ）に示すように、表示部材３４０の干渉部３５２による移動の制限を受けることなく、固定解除方向へ移動可能となっている。
【０１０２】
さらに、分岐装置１０をハウジング７２側へ移動させることにより、固定部材３０の係止部３４ａがハウジング７２の凹部７２ａに嵌り込むと、分岐装置１０がバスダクト７０に固定される（固定状態）。その後、作業者は、手動で表示部材３４０を固定表示位置に移動させて、表示部３４５が外部から視認不可能な状態にする。この固定完了状態（つまり、固定部材３０が固定状態となり、かつ表示部材３４０が固定表示位置となった状態）では、図１３（ｂ）に示すように、表示部材３４０の干渉部３５２によって、固定部材３０の固定解除方向への移動が阻止される。これにより、分岐装置１０の不慮の取外れが防止される。
【０１０３】
尚、分岐装置１０の取付作業において、固定部材３０が確実に固定状態となっていない場合には、表示部材３４０を固定表示位置へ移動させることができず、表示部３４５が箱体１２外部に露出した状態となる。これにより、作業者は、固定状態が確実ではないことを容易に確認することができる。
【０１０４】
分岐装置１０をバスダクト７０から取外す際には、まず、表示部材３４０を固定表示位置から固定解除表示位置へ手動で移動させる。その後、コイルバネ６０の付勢力に抗して手動で固定部材３０を固定解除方向へ回動させ、分岐装置１０をバスダクト７０から取外す方向へ引き抜くことで、分岐装置１０を取外すことができる。
【０１０５】
（第４の実施の形態の変形例）
図１４は、第４の実施の形態で示した分岐装置１０の変形例を示す。
【０１０６】
本変形例の分岐装置１０は、箱体１２の底板１３と、表示部材３４０とに、同一形状の螺子孔１３ａ，３４１が形成されている。この螺子孔１３ａ，３４１は、表示部材３４０が固定表示位置にあるときに高さ方向において重なり、一つの孔部２０を形成する。この孔部２０に螺子（第２の干渉部材）１９を挿通して螺合し、表示部材３４０と箱体１２とを固定することにより、螺子１９が干渉して表示部材３４０の固定解除表示位置方向への移動が阻止される。また、表示部材３４０の移動が阻止されることにより、固定部材３０の固定解除方向への移動も阻止される。
【０１０７】
尚、このような干渉部材は、螺子１９に限られず、孔部２０に挿通可能な長手部材であればよい。また、長手部材の螺子部が、螺合していない場合には、この長手部材が箱体１２の蓋部２２と当接して蓋部２２が閉鎖できない状態となり、長手部材の螺子部が孔部２０に螺合された場合に、蓋部２２が閉鎖可能となるようにしてもよい。
【０１０８】
尚、本変形例に記載したような干渉機構（すなわち、螺子１９や長手部材等の干渉部材と、固定状態において、この干渉部材が挿通される孔部２０）は、既述の第１〜第３の実施の形態に示す分岐装置１０においても適用することができる。
【０１０９】
本発明は上述した実施形態や変形例に限定されるものではなく、各実施形態や本明細書記載例の部分的な構成を組み合わせて特定したもの、各実施形態の部分的な構成を変更して特定したもの、各実施形態の構成に本明細書記載例の部分的な構成を追加して特定したもの、各実施形態の部分的な構成を削除して特定したものを包含し、発明の趣旨を逸脱しない範囲で種々の変更が可能である。例えば、第２の実施の形態では、表示部材１４０が表示部１４５を有する２つの部材（第１及び第２部材１４１，１４２）を備えているが、第１及び第２部材１４１，１４２のうちの何れか１方のみを備え、これを箱体１２に一端が連結された付勢手段１６０によって付勢する構成であってもよい。また、第３の実施の形態において、表示部材２４０を各固定部材３０に１つずつ設けたり、第４の実施の形態において、表示部材３４０を１つにしたりしてもよく、表示部材は、分岐装置１０に設けられた複数の固定部材３０の全ての固定状態を確認できる態様であればよい。また、各実施の形態で示した表示部材を適宜、組み合わせて適用することができる。さらに、分岐装置１０が取り付けられるバスダクト７０は、図１に示すものに限られず、図１５や図１６に示すような絶縁密着型のバスダクト７０であってもよい。
【０１１０】
図１５に示す変形例１では、バスダクト同士を接続する接続部から分岐をとるバスダクトの分岐装置１０において、第１の実施の形態を適用したものを示している。
【０１１１】
図１６に示す変形例２では、差込部１４が挿入されるバスダクト７０の差込口から離れた位置において、固定部材３０により分岐装置１０をバスダクト７０の本体部に固定するものであり、分岐装置１０に第２の実施の形態の表示部材１４０を適用したものを示している。なお、変形例２では、コイルバネ６０の付勢力に抗して固定部材３０が幅方向外方へ移動することにより、表示部材１４０がこれと連動して奥行方向外方（紙面手前方向と紙面奥方向）へ移動するように設計されている。
【０１１２】
上述のように、本発明に係る分岐装置１０は、バスダクトの線数、分岐構造に左右されることなく、取り付けられるバスダクトの形状等に合わせて、分岐装置１０を構成する固定部材や表示部材等の構成部材を、発明の趣旨を逸脱しない範囲で変更することが可能である。
【符号の説明】
【０１１３】
１０    バスダクトの分岐装置
１２    箱体
１９    螺子（干渉部材）
３０    固定部材
３４ａ  係止部
４０，１４０，２４０，３４０  表示部材
４５，１４５，２４５，３４５  表示部
６０    コイルバネ（付勢手段）
１６０  付勢手段
２６０  巻きバネ（付勢手段）
３５２  干渉部（干渉部材）
７０    バスダクト
７２    ハウジング
７２ａ  凹部
１４    差込部
【図１】
2018107847.tif 000003
【図２】
2018107847.tif 000004
【図３】
2018107847.tif 000005
【図４】
2018107847.tif 000006
【図５】
2018107847.tif 000007
【図６】
2018107847.tif 000008
【図７】
2018107847.tif 000009
【図８】
2018107847.tif 000010
【図９】
2018107847.tif 000011
【図１０】
2018107847.tif 000012
【図１１】
2018107847.tif 000013
【図１２】
2018107847.tif 000014
【図１３】
2018107847.tif 000015
【図１４】
2018107847.tif 000016
【図１５】
2018107847.tif 000017
【図１６】
2018107847.tif 000018